(57)【特許請求の範囲】
【請求項１】
略直方体で、第１の主面に撮像レンズを有し、前記第１の主面の対面にある第２の主面に画像モニタを有し、前記第１の主面及び前記第２の主面の上面に撮像操作子を有する撮像装置を被覆するための撮像装置用ケースであって、
前記第１の主面側に、前記撮像レンズを露呈するように開口形成された開口部と、
前記第２の主面側に、前記画像モニタを視認できるように設けられた透明シートと、
前記撮像操作子の操作が可能に、前記撮像装置の前記上面に設けられたシートと、
前記撮像装置の一側面側から前記撮像装置を横方向に挿入できるように設けられた挿入口と、
前記挿入口を覆う閉止蓋と、
前記閉止蓋の遊端側に設けられた一方の面ファスナーと、
前記第１の主面側に設けられ、前記遊端側の一方の面ファスナーと重ね合わされて前記挿入口を閉止する他方の面ファスナーと、
外方に開口したコの字状に形成され、前記撮像装置の底部を覆う底部カバーと、
前記底部カバーのコの字状溝内に配設され、三脚固定用のねじ孔及び固定ねじ用の挿通孔が開口形成された板金と、
前記底部カバーと前記撮像装置の底部との間に配設され、該底部側に開口したコの字形状をなすコの字形状板金と、
前記コの字形状板金のコの字状溝内に合成ゴムを埋設し、該合成ゴムが埋設された前
記コの字形状板金を柔軟性樹脂シートで被覆し、さらに不織布で包んで一体化したクッション材と、
前記板金の前記挿通孔から前記底部カバー及び前記クッション材に螺入し、前記板金及び前記クッション材を前記底部カバーに固定する固定ねじと、
を備えた撮像装置用ケース。
【請求項２】
前記撮像レンズを露呈する開口部を覆う前カバーを設け、
前記前カバーは、前記撮像レンズを露呈させたとき、前記前カバーの遊端が、前記底部カバーより下方に突出し、撮影のときに把持できるようにした、
請求項１に記載の撮像装置用ケース。
【請求項３】
前記三脚固定用ねじ孔を、前記撮像装置の前記撮像操作子の略下方の側に設けた、
請求項１又は２に記載の撮像装置用ケース。
【発明の詳細な説明】
【技術分野】
【０００１】
本発明は、デジタルスチルカメラなどの撮像装置に装着して好適な撮像装置用ケースに関する。
【背景技術】
【０００２】
従来、カメラ用のケースには、図１１に示すように、銀塩フィルムを用いる一眼レフカメラ１００などに使用されるようなものがある。このケースは、皮革や合成皮革の裏側にクッション性を有する肉厚の生地を一体に設けて縫製されたバックケース１０１とフロントカバー１０２とからなり、図１１Ａに示すように、カメラボディへのケースの装着は、カメラボディの底面に設けられている雌ねじに、バックケース１０１を介してローレットを設けた雄ねじ１０３を螺入して行われる。
そして、このバックケース１０１にフロントカバー１０２がスナップボタン１０４，１０５によって着脱自在に設けられて一眼レフカメラ１００用のケースが構成されている。
【０００３】
このようにすることで、撮影しないときはほぼ完全に一眼レフカメラ１００がバックケース１０１とフロントカバー１０２で覆われるようになっている（図１１Ａ参照）。また、撮影のときは、バックケース１０１に設けられる不図示のネックストラップ（首架けバンド）を首に架け、図１１Ｂに示すように、バックケース１０１の上側のスナップボタン１０４を外し、フロントカバー１０２をスナップボタン１０５によりカメラ１００の下方にぶら下げた状態とする。そして、この状態でバックケース１０１の上からカメラボディを把持して被写体に対して構え、ファインダ１００ａを覗いて構図を決め、不図示のシャッターボタンを押下して撮影するようにしている。
【０００４】
このように構成された一眼レフカメラ１００のケースでは、バックケース１０１とフロントカバー１０２の角部での重なり部分が多くなるように形成されている。そして、万が一落下させてしまったときでも、多くはカメラの底の方から落ちるため、バックケース１０１とフロントカバー１０２の底における重なりの部分に付与されたクッション性により大きな耐衝撃性をもつものとなっている。また、ほかの部分から落ちても、ケース自体の素材のもつ弾性とカメラ１００との間隙により衝撃を緩和するようになっている。
【０００５】
また、一眼レフカメラ１００への三脚の取り付けは、三脚に設けられている固定用の雄ねじを、一眼レフカメラ１００底面の雌ねじに直接螺入して固定したり、あるいは図１１Ａ及びＢに示すように、バックケース１０１を一眼レフカメラ１００に固定するためのローレット付きねじ１０３に設けられている雌ねじに、三脚に設けられている雄ねじを螺入して固定することができる。
なお、従来知られているカメラ用のケースには、特許文献１に開示されているようなものがある。
【０００６】
一方、近年デジタルスチルカメラは、銀塩フィルム用の例えば一眼レフカメラの代替を目指し、さまざまな撮影状況に対応できるようなオプション機能を備えたハイエンドユーザ向けのものと、より一般の消費者向けのものとの２極分化が進んでいる。
そして、後者においては、小電力化、記録媒体の小型化、専用の光学系・バッテリの採用などにより、従来はコンパクトカメラ程度の大きさであったものが、ワイシャツのポケットに収まる小ささで、より高画質であること（例えば、カメラの有効画素数が５００万画素を越えるような撮像素子を搭載したもの）を目指して日々改良が進められている状況にある。
【０００７】
このような、より小型化を目指す状況下では、従来コンパクトカメラサイズのデジタルスチルカメラに標準的に装備され、手ぶれやセルフタイマ撮影に活用されていた三脚用のねじ孔は、ワイシャツのポケット収納サイズとする上で薄型化の障害となるため、省かれた構造となっているものもある。
そして、従来デジタルスチルカメラ用として供給されているケースは、ポシェット（小型のバッグ）の形態を有し、撮影しないときはケース内に収納してボタンなどで蓋を閉止しておき、撮影はケースから取り出して行うようなものであった。
【特許文献１】特開２０００−２２５０１６号公報（第２頁，図１）
【発明の開示】
【発明が解決しようとする課題】
【０００８】
しかしながら、図１１例のような一眼レフカメラ用のケースと同様の構成を有するものが、カメラの保護の点、あるいは装着した状態で通常撮影あるいは三脚撮影が行うことができる点などから相応しいものの、ワイシャツ収納サイズのデジタルスチルカメラでは、カメラ自体の薄さが要求されるため、一眼レフカメラ１００の底面に設けられているような雌ねじを設けることができず、一眼レフカメラ用のケースと同様の構成にすることができず使いにくいという不都合があった。
【０００９】
すなわち、三脚の固定用の雄ねじと同じサイズの、雄ねじと雌ねじをもつローレット付きねじ１０３（図１１参照）を用いて、直に薄厚のデジタルスチルカメラにケースを取り付け、このローレット付きねじ１０３を介してデジタルスチルカメラを三脚に固定する構造とすることはできなかった。
また、ケース自体も小さすぎて人手になじみにくく、撮影のときのホールド感が不十分であることに起因する手ぶれなどを生じさせてしまう不都合があった。
【００１０】
また、従来デジタルスチルカメラ用として供給されているケースでは、収納されるカメラへの耐衝撃性などが不十分であり、落下により電子部品で構成されるデジタルスチルカメラへのダメージが無視できないものとなっていた。そして、撮影はカメラをケースから取り出して行うものであるためケースを置き忘れることがあった。
【００１１】
本発明はかかる点に鑑み、ケースを被せた通常状態で撮影できるとともに、撮影のときのホールド感を十分確保することができ、三脚を使用した撮影にも好適で、小型のケースでも一眼レフカメラ用のケースと同様の耐衝撃性と使い易さを有する撮像装置用ケースを提案することを目的とする。
【課題を解決するための手段】
【００１２】
上記課題を解決するため、本発明は、略直方体で、第１の主面に撮像レンズを有し、第１の主面の対面にある第２の主面に画像モニタを有し、第１の主面及び第２の主面の上面に撮像操作子を有する撮像装置を被覆するための撮像装置用ケースである。
また、第１の主面側に、撮像レンズを露呈するように開口形成された開口部と、第２の主面側に、画像モニタを視認できるように設けられた透明シートと、撮像操作子の操作が可能に、撮像装置の上面に設けられたシートと、撮像装置の一側面側から撮像装置を横方向に挿入できるように設けられた挿入口と、挿入口を覆う閉止蓋と、閉止蓋の遊端側に設けられた一方の面ファスナーと、第１の主面側に設けられ、遊端側の一方の面ファスナーと重ね合わされて挿入口を閉止する他方の面ファスナーと、を備える。
そして、外方に開口したコの字状に形成され、撮像装置の底部を覆う底部カバーと、底部カバーのコの字状溝内に配設され、三脚固定用のねじ孔及び固定ねじ用の挿通孔が開口形成された板金と、底部カバーと撮像装置の底部との間に配設され、底部側に開口したコの字形状をなすコの字形状板金と、コの字形状板金のコの字状溝内に合成ゴムを埋設し、合成ゴムが埋設されたコの字形状板金を柔軟性樹脂シートで被覆し、さらに不織布で包んで一体化したクッション材と、板金の挿通孔から底部カバー及びクッション材に螺入し、板金及びクッション材を底部カバーに固定する固定ねじと、を備えた。
【００１３】
このように構成した本発明の撮像装置用ケースによれば、ケースの横方向から撮像装置を挿入し閉止蓋を閉じて撮像装置をケースに固定し、閉止蓋の遊端を面ファスナーで厚くし、ケースを被せた状態で撮影できるとともに、三脚固定用ねじで三脚に固定することができる。
【発明の効果】
【００１４】
本発明によれば、ケースは撮像装置を挿入口から横方向に挿入してから、この挿入口を覆う閉止蓋の面ファスナーで撮像装置をがたなく閉止することができ、このとき、撮像レンズが開口部により露呈されるのでケースを被せたままで撮影することができ、また撮像装置の第１の主面の側で面ファスナーにより閉止蓋が閉止されているため、この面ファスナーの重ね合わせによる厚みによって撮像装置をホールド感よく把持することができて撮影のとき手ぶれを起こしにくいものとなり、さらに底部の三脚用固定ねじで三脚による撮影も行えるものとなる。
【００１５】
また、本発明によれば、前カバーの面ファスナーを開けることにより撮像レンズが露呈され、開けた前カバーとケースの閉止蓋との２箇所を把持して撮像装置を保持することができ、より手ぶれを起こしにくい状態で撮影をすることができ、面ファスナーで前カバーが閉止された状態では撮像装置全体がケースに覆われ、落下などの衝撃から撮像装置を保護することができる。
【００１６】
また、本発明によれば、三脚固定用ねじを、撮像操作子の略下方の側に設けたことで、三脚固定用ねじを中心とする力の方向と作用点とのモーメントの腕を小さくすることができ、撮像操作子を押下するときの撮像装置のぶれを少なくすることができる。
【発明を実施するための最良の形態】
【００１７】
以下、本発明の撮像装置用ケースを実施するための最良の形態の例を、図１〜図１０を参照して説明する。
図１及び図２は、本例の撮像装置用ケース１０を示し、デジタルスチルカメラ２０を装着するようにしたものである。
【００１８】
先ず、本例の撮像装置用ケース１０に装着されるデジタルスチルカメラ２０を、図３及び図４を参照して説明する。
【００１９】
本例のデジタルスチルカメラ２０は、例えば大きさが幅１００ｍｍ，高さ６０ｍｍ，奥行（厚さ）１８ｍｍので、奥行／高さ＜１／３と薄く形成されたものであり、図３Ａに示すように、前面には、（撮像）レンズ２４が正面右上に配され、その脇にフラッシュ２２とセルフタイマーランプ（ＡＦイルミネータと兼用）２３が設けられる。また、上面には撮像操作子であるシャッターボタン３６、ＰＯＷＥＲボタン３７などを設け、デジタルスチルカメラ２０の図３Ａに示す左の側面にはネックストラップなどの幅広のベルトも装着できるストラップ取付け部３２を設けている。
なお、本例のデジタルスチルカメラ２０に内蔵される光学系は、図示しないが、プリズムを用いて被写体の光学像を直角下方に曲げ撮像素子（ＣＣＤ）で結像させるようにしてデジタルスチルカメラ２０自体の厚みが小さくなるようにしている。
【００２０】
デジタルスチルカメラ２０の背面には、図３Ｂに示すように、画像モニタ用の液晶画面２５とズーム（広角／望遠）ボタン２６、撮影のモード切替えスイッチ２７、４方向矢印キーと中央の決定キーからなるコントロールボタン２８、画像のサイズ切替え／削除ボタン２９などが設けられている。
なお、３０は画面表示／ＬＣＤバックライトボタンであり、３１はアクセスランプであり、３３はスピーカーを示している。
【００２１】
そして、デジタルスチルカメラ２０の底部には、図４Ａ〜Ｃに示すように、ケーブル付きプラグ４２が装着されるマルチ接続端子３８と、メモリ挿入口２０ａとバッテリ挿入口２０ｂを開閉自在に覆うバッテリ／メモリカバー３９が設けられている。
このバッテリ／メモリカバー３９は、図４Ａに示すように、通常は閉じておき、撮影時に必要に応じ、先ず図の矢印Ａ，Ｂの順に上方にスライドしてロックを外した後、手前に回動して開くことができる。そして、図４Ｂに示すように、露呈したメモリ挿入口２０ａとバッテリ挿入口２０ｂにメモリカード４０あるいはバッテリ４１を挿入する。それから、図４Ｃに示すように、図の矢印Ｃ，Ｄの順に手前から奥の方に回動してから下方にスライドしてロックして閉じることができる。
【００２２】
ここで使用されるメモリカード４０は、スティック状で不揮発性のメモリ素子が内蔵されたものでデジタルスチルカメラ２０に着脱自在に装着されるものである。また、バッテリ４１は、リチウムイオン２次電池などを小型化して、薄板状の直方体としたものである。
このメモリカード４０の交換、挿入は、撮影中にメモリ内の画像ファイルが一杯になったときに行われ、バッテリ４１の交換、挿入は、撮影中に電池切れになったときに行われる。
【００２３】
このデジタルスチルカメラ２０では、メモリカード４０とバッテリ４１を装着したあと、ＰＯＷＥＲボタン３７を押すと撮影ができる状態となる。そして、図３Ｂに示すモード切替えスイッチ２７で所望の撮影モードとし、背面の液晶画面２５で撮影画像を確認してシャッターボタン３６を押し、画像をメモリカード４０のメモリ素子に所定の画像サイズで記録保存する。
また、撮影した複数の画像は、コントロールボタン２８で再生して確認することができ、失敗したものは画像のサイズ切替え／削除ボタン２９で削除することができる。
【００２４】
次に、このデジタルスチルカメラ２０が装着されるケース１０を図１及び図２，図５〜図１０を参照して説明する。
なお、図中の破線は、縫製での縫い目を示している。
【００２５】
ケース本体１１は、その生地の表面１１-1が皮や合成皮革などの擦れ傷などが付きにくく適度の柔軟性をもつ素材で構成されており、その裏面１１-2に、増嵩（かさ）処理された不織布を一体に設けて、耐衝撃性をもつように構成されている。
ケース本体１１は、図５に示すように、横長に裁断された略長方形の生地の表面１１-1に、開口部である横長の小さい開口孔１１ａと、透明シートが設けられる横長の大きな開口孔１１ｂと、縦長の開口孔１１ｃとを並べ、この２つの開口孔１１ａ，１１ｂの間隙１１ｄを、縫製後にデジタルスチルカメラ２０の奥行（厚さ）より大きくなるように設ける。
すなわち、間隙１１ｄは、図１に示すようにデジタルスチルカメラ２０をケース１０に装着したとき、デジタルスチルカメラ２０を、余裕をもって挿入できるような寸法に設ける。
【００２６】
そして、デジタルスチルカメラ２０前面のフラッシュ２２やレンズ２４などを、図１に示すように、ケース１０前面から露呈させるように開口孔１１ａを配設し、デジタルスチルカメラ２０の背面の液晶画面２５、ズームボタン２６コントロールボタン２８などを露呈させるように開口孔１１ｂを配設する。また、デジタルスチルカメラ２０の図３Ｂに示す右の側面２０-2に配設されるモード切替えスイッチ２７とストラップ取付け部３２を露呈するように、開口孔１１ｃを設けるようにする。
それから、図５に示すように、横長に配される略長方形の生地の一端となる遊端１１-3側の裏面１１-2にループ状の面ファスナー（雌）１１ｅを設け、生地の表面１１-1の、他端１１-4の近くに縦に帯状のフック状の面ファスナー（雄）１１ｆを設ける。
そして、大きく横長の開口孔１１ｂの上部に、図２及び図５に示すようにフック状の面ファスナー（雄）１１ｇを設ける。そして、開口孔１１ｂ全体を覆うように軟質の透明樹脂シート１３-2を設ける。
【００２７】
そして、図１に示すケース本体１１の上面には、図５に示すように、開口孔１１ｂの上部に、長方形をコの字状に折り曲げた軟質の透明樹脂シート１３-1を設ける。また、図２に示すケース本体１１の底面には、図５に示すように、開口孔１１ｂの下部に板金１４を設けた底部カバー１５を配設する。
底部カバー１５は、図５及び図６に示すように、表面１１-1と略同じ生地を長方形に切り出してからコの字状に折り曲げ加工したものである。そして、底部カバー１５の上面にチューインガム状としたクッション材を不織布に包んで設ける。
【００２８】
板金１４は、図２に示すように、底部カバー１５の下側で、デジタルスチルカメラ２０のストラップ取付け部３２の側、すなわちシャッターボタン３６の略下方に配される。そして、板金１４の略中央に三脚を固定するためのねじ孔１４ａが設けられ、図２に示すように、その両側に２つの固定ねじ１４ｃ，１４ｃの挿通孔が設けられている。
板金１４の底部カバー１５への取付けは、図６に示すように、板金１４とコの字形状板金１４ｄとを底部カバー１５を挟み込んで行われる。このコの字形状板金１４ｄは、薄い鋼板などをコの字形状に折り曲げて補強し、長さをデジタルスチルカメラ２０の底面の幅程度とし、上面に不図示の２つのねじ加工が行われる。
【００２９】
すなわち、剥き出しの金属が直接生地に当たると生地が切れてしまうおそれがあるため、図６に示すように、板金１４は樹脂板１５ａを介して底部カバー１５に固定される。一方、コの字形状板金１４ｄは角部が面取り加工されたあと、コの字状の溝の側に比較的厚めの合成ゴム１４ｆを敷いて埋めた後、ポリプロピレンなどの柔軟性のある樹脂による大き目の薄いシート１４ｅで覆うようにしてから不織布でこれらを包んで一体にし、図５に示すように、チューインガム状のクッション材としている。
そして、上述のように、板金１４の２つのねじ挿通孔からコの字形状板金１４ｄの不図示の２つのねじ孔に固定ねじ１４ｃ，１４ｃを螺入し、コの字形状板金１４ｄと板金１４とが、生地を表裏面から挟み込むことで底部カバー１５に固定される。
【００３０】
撮像レンズ２４を露呈するためのケース本体１１の開口孔１１ａを、覆うように設けられる前カバー１２は、ケース本体１１と同じ生地で、図５に示すように、略四角形としてケース本体１１の開口孔１１ａの下側に設け、図１及び図７に示すように、開口孔１１ａを開閉自在に覆うことができるようになされる。図５に示す前カバー１２は、その裏面１２-2の側を示したものであり、裏面１２-2の図５に示す下側に帯状にループ状の面ファスナー（雌）１２ａを設ける。
【００３１】
このように構成されたケース１０は、図１，図２及び図５に示すように、ケース本体１１の上部に透明樹脂シート１３-1、底部に底部カバー１５を縫い付けて、デジタルスチルカメラ２０の側面２０-1側のほうから横方向に挿入できるように挿入口を設け、この挿入口を覆うように、遊端１１-3に面ファスナー１１ｇを設けた閉止蓋で閉止する。
そして、前カバー１２を、図５に示すように、生地１２ｂを介してケース本体１１の開口孔の下側に縫い付けて固定し、遊端１２-3の側に設けられているループ状の面ファスナー（雌）１２ａが、図２に示すケース本体１１の上部に設けたフック状の面ファスナー（雄）１１ｇと係止自在に設けられる。
【００３２】
このように縫製され組み立てられたケース本体１１は、先ずデジタルスチルカメラ２０をそのストラップ取付け部３２の側を把持し、デジタルスチルカメラ２０の側面２０-1側のほうから横方向に挿入口に挿入して、ケース本体１１の閉止蓋で閉止する。
このとき、閉止蓋の遊端の側のループ状の面ファスナー（雌）１１ｅと第1の主面の側のフック状の面ファスナー（雄）１１ｆとが係合し、デジタルスチルカメラ２０をがたなくケース本体１１に固定する。そして、図２に示すように、遊端１１-3側に配される開口孔１１ｃから、撮影時のモード切替えスイッチ２７とストラップ取付け部３２を露出するようにし、また、ストラップ取付け部３２に取り付けられた携行用のネックストラップ４３が引出される。
なお、前カバー１２を閉じた状態を示す図７、前カバーを開けた状態での図１（前面視）及び図２（背面視）は、このようにしてデジタルスチルカメラ２０を挿入したケース１０を示すものである。
【００３３】
そして、ケース本体１１の上部に配される透明樹脂シート１３-1は、図１に示すように、デジタルスチルカメラ２０の上面を覆うようにするとともに、シャッターボタン３６やＰＯＷＥＲボタン３７の操作が透明樹脂シート１３-1上から行えるようにしている。さらに、ケース本体１１の背部に配される透明樹脂シート１３-2は、図１示すように、デジタルスチルカメラ２０の背面の大部分を覆うようにするとともに、デジタルスチルカメラ２０背面の液晶画面２５の確認や各種の操作ボタンの操作が透明樹脂シート１３-2上から行えるようにしている。
また、ケース本体１１の前部では、前カバー１２を図１に示す開けた状態にしたとき、開口孔１１ａがフラッシュ２２とセルフタイマーランプ（ＡＦイルミネータと兼用）２３とレンズ２４を露出するようになされる。
【００３４】
また、このデジタルスチルカメラ２０では、図４Ａ〜Ｃに示すように、データの送受／電源用のプラグを挿抜やメモリカード４０とバッテリ４１の装着が底面から行うことができるように構成されているが、本例のケース１０では、図９に示すように、閉止されている遊端１１-3側を持ち上げて、面ファスナー１１ｅ，１１ｇの係合を外して閉止蓋を開け、僅かデジタルスチルカメラ２０を引出すだけで、底面のマルチ接続端子３８とバッテリ／メモリカバー３９を露出させることができる。そして、容易にデジタルスチルカメラ２０へのプラグ４２の挿抜、メモリカード４０とバッテリ４１の挿入あるいは交換を行うことができる。
【００３５】
このように構成された本例の撮像装置用ケース１０によれば、デジタルスチルカメラ２０は、ケース１０の横方向から挿入され、このケース１０の底部カバー１５に配された細長いコの字形状板金１４ｄと、表面の１１-1の面ファスナー１５ｂ，１５ｃ及び裏面１１-2の面ファスナー１５ｄ，１５ｅにより蓋を閉めたとき、デジタルスチルカメラ２０をガタなく装着することができる。
そして、ケース本体１０を装着したデジタルスチルカメラ２０は、前カバー１２を開けて、レンズ２４を露呈し、図8に示すように、左手ｆ２で前カバー１２のケース本体１１の下方に垂れている遊端１２-3の上部を把持し、右手ｆ１が面ファスナーで厚みを増したカメラボディ部を十分なホールド感をもって構え、背面の透明樹脂シート１３-2を透して液晶画面２５に表示される被写体を確認しながら構図を決めることができる。
そして、シャッターボタン３６を透明樹脂シート１３-1の上から押下できる。このとき、撮影は十分安定な姿勢で行うことができるので手ぶれなどをさらに低減させることができる。
【００３６】
また、三脚を使用するとき、図１０に示すように、ケース１０の底の三脚用のねじ孔１４ａに三脚５０の固定ねじ５０ａを螺入して固定し、安定した状態で撮影を行うことができる。このとき、このコの字形状板金１４ｄに固定された板金１４のねじ孔１４ａで三脚５０をガタなく固定でき、撮像装置２０のシャッターボタン３６の略下方の側に三脚固定ねじ１４ａが配されるため、シャッターボタン３６の押下による力の方向と作用点とのモーメントの腕が小さくなり、シャッターボタン３６操作時の画像のぶれを大幅に低減することができる。
なお、図２及び図６に示す底部カバー１５は三脚固定用の板金１４が突出しないようにケース本体１１に縫い付けられているため、ケース本体１１の下端の縁辺によって机上に略直立する姿勢とすることができセルフタイマ撮影に好適である。
また、図９に示すように、デジタルスチルカメラ２０に常時ケース１０を装着しておいても、メモリカード４０とバッテリ４１の交換、挿入などを支障なく行うことができる。
【００３７】
また、ケース１０の生地を増嵩処理してクッション性をもたせて耐衝撃性を向上させ、さらに略直方体のデジタルスチルカメラ２０の外筐の辺に対応させて、ケース１０の生地のへりに縫い代をもたせて縫っているため、角部での落下などでの耐衝撃性が向上させることができる。
そして、誤って撮像装置を落下させてしまうとき、撮像装置は底の方から落ちることが多いが、本例のケース１０では、ケース１０の底で底部カバー１５の内側に合成ゴムと樹脂シートを重ね、その周りを不織布で包むようにした構造としているため、底が生地のへりの縫い代とともに２重に保護され、耐衝撃性を著しく向上させることができる。
またさらに、撮像装置の底の角部に衝撃を受けても、コの字形状板金１４ｄにより、衝撃力が撮像装置の底の角部に集中することなく底全体に分散されて伝わり緩和されるため、より耐衝撃性が増すことになる。すなわち、デジタルスチルカメラ２０は、電子部品で構成されている撮像装置単体では耐衝撃性があまり大きくないが、底部カバー１５に設けたクッション材により耐衝撃性を十分発揮させることができるため、デジタルスチルカメラ２０を破損などから保護することができる。
【００３８】
さらに、デジタルスチルカメラ２０の液晶画面２５に対応させてケース本体１１に柔軟な材質の透明樹脂シート１３-1，１３-2を設けたので、ボタンなどの操作性を損なわずにデジタルスチルカメラ２０の大部分をケース１０で覆い、液晶画面２５の表面に擦り傷などを生じさせたり、デジタルスチルカメラ２０の外面の打ち傷や内部への異物進入などを大幅に低減することができる。
このように一眼レフカメラなどのケースと同様に常時装着しておいても使い勝手のよい小型のケースとすることができ、ケースを置き忘れることもない。
【００３９】
なお、本例の撮像装置では、プリズムを用いて直角下方に光を曲げる光学系を用いた例で説明したが、このような光学系に限らず、使用しないときは撮像用のレンズが本体内に収納され、撮影のときレンズが前方に繰り出される、いわゆる沈胴式のものにも使用できるのは勿論である。さらに、使用しないときでも撮像用のレンズが本体から突出している構造の撮像装置でも前カバー１２を膨らませるように構成することにより使用できるのは勿論である。
【００４０】
本例の撮像装置用ケース１０では、ケース本体１１の前面の側部に設けた面ファスナー１１ｅ，１１ｆで挿入したデジタルスチルカメラ２０を閉止、固定する例を説明したが、デジタルスチルカメラ２０のホールド性をより向上させるため、閉止蓋の遊端１１-3近くの生地をより厚くして面ファスナー１１ｅを設けるようにしてもよい。
【００４１】
また、本例のケース１０を装着する撮像装置として、メモリカード４０を用いたもので説明したが、メモリカード４０の代わりに光ディスクや光磁気ディスク、ハードディスクドライブ、ホログラムメモリなどのほかの記録媒体を用いた撮像装置に用いてもよいのは勿論である。
【００４２】
本発明の撮像装置用ケースは、上述例に限ることなく本発明の要旨を逸脱することなく、その他種々の構成をとり得ることは勿論である。
【図面の簡単な説明】
【００４３】
【図１】本発明の一実施の形態の例による撮像装置用ケースで撮像装置を装着した状態の前面から見た外観斜視図（前カバー開）である。
【図２】本発明の一実施の形態の例による撮像装置用ケースで撮像装置を装着した状態の背面から見た外観斜視図（前カバー開）である。
【図３】本発明の一実施の形態の例による撮像装置用ケースを装着する撮像装置の、Ａは前面から、Ｂは背面から見た外観斜視図である。
【図４】本発明の一実施の形態の例による撮像装置用ケースを装着する撮像装置の底のバッテリ／メモリカバーの、Ａは開操作、Ｂは装着走査、Ｃは閉操作の説明図である。
【図５】本発明の一実施の形態の例による撮像装置用ケースの分解斜視図ある。
【図６】本発明の一実施の形態の例による撮像装置用ケースの底部の構造を説明する断面図である。
【図７】本発明の一実施の形態の例による撮像装置用ケースで撮像装置を装着した状態の前面から見た外観斜視図（前カバー閉）である。
【図８】本発明の一実施の形態の例による撮像装置用ケースで撮像装置を装着した状態の撮影での一形態の説明図である。
【図９】本発明の一実施の形態の例による撮像装置用ケースで撮像装置へのメモリカード、バッテリなどの挿抜の説明図である。
【図１０】本発明の一実施の形態の例による撮像装置用ケースでケースへの三脚の装着を説明する図である。
【図１１】従来の１眼レフカメラ用のケースの、Ａはカメラ収納状態、Ｂはフロントカバー開の状態の説明略図である。
【符号の説明】
【００４４】
１０…ケース、１１…ケース本体、１１ｅ，１１ｇ…面ファスナー、１２…前カバー、１３-1，１３-2…透明樹脂シート、１４…板金、１４ａ…三脚用のねじ孔、２０…デジタルスチルカメラ、４０…メモリカード、４１…バッテリ、５０…三脚
【図１】
0004687000.tif 000002
【図２】
0004687000.tif 000003
【図３】
0004687000.tif 000004
【図４】
0004687000.tif 000005
【図５】
0004687000.tif 000006
【図６】
0004687000.tif 000007
【図７】
0004687000.tif 000008
【図８】
0004687000.tif 000009
【図９】
0004687000.tif 000010
【図１０】
0004687000.tif 000011
【図１１】
0004687000.tif 000012